(57)【特許請求の範囲】
【請求項１】
枠体と、この枠体の一端に設けられ遮蔽体を巻き取る巻取部と、この巻取部から繰り出した遮蔽体の端部を連結して前記枠体内の両端に設けた案内部に沿って移動自在に設けられた可動体と、この可動体を移動操作して遮蔽体を手動又は電動で開閉する開閉機構とを備え、前記可動体に被着体を着脱自在に設け、この被着体に前記遮蔽体の端部を止着するための止着溝を形成し、前記遮蔽体の端部に形成した袋綴じ部に芯材を挿通した状態で遮蔽体の端部が前記止着溝に差し込まれて止着されており、前記芯材は弾性を有する棒材からなると共にくの字状に折り曲げられていることを特徴とするロール式遮蔽装置。
【請求項２】
枠体と、この枠体の一端に設けられ遮蔽体を巻き取る巻取部と、この巻取部から繰り出した遮蔽体の端部を連結して前記枠体内の両端に設けた案内部に沿って移動自在に設けられた可動体と、この可動体を移動操作して遮蔽体を手動又は電動で開閉する開閉機構とを備え、前記可動体に被着体を着脱自在に設け、この被着体に前記遮蔽体の端部を止着するための止着溝を形成し、前記遮蔽体の端部に形成した袋綴じ部に芯材を挿通した状態で遮蔽体の端部が前記止着溝に差し込まれて止着され、前記被着体の端部を前記案内部に沿って設けられたごみ受部内に位置させてなり、前記芯材は弾性を有する棒材からなると共にくの字状に折り曲げられていることを特徴とするロール式遮蔽装置。
【発明の詳細な説明】
【０００１】
【発明の属する技術分野】
本発明は、ロール式遮蔽装置に係り、特に遮蔽体の繰り出し側端部の止着構造を改良したロール式遮蔽装置に関する。
【０００２】
【従来の技術】
この種のロール式遮蔽装置は、例えば天窓等のブラインドとして使用されている。このロール式遮蔽装置は、図７に一部を示すように、枠体１１と、この枠体１１の一端に設けられ遮蔽体１２を巻き取る図示しない巻取部と、この巻取部から繰り出した遮蔽体１２の端部を連結して前記枠体１１内の両側に設けた案内部１４に沿って移動自在に設けられた可動体１５と、この可動体１５を移動操作して遮蔽体１２を開閉する図示しない開閉機構とを備えている。
【０００３】
可動体１５は、両側の案内部１４に沿って移動自在に設けられた移動体１９と、両移動体１９間に掛け渡された棒軸２０とからなり、この棒軸２０の両端部が移動体１９にネジ２１で着脱自在に取付けられている。従来のロール式遮蔽装置においては、前記可動体１５に遮蔽体１２の繰り出し側端部が直接止着されていた。具体的には、遮蔽体１２の端部を筒状に袋綴じにし、その袋綴じ部１２ａに可動体１５の棒軸２０を通して遮蔽体１２の繰り出し側端部を止着していた。なお、遮蔽体の巻き取り側端部を巻取部側に止着する構造としては、実開昭５８-１５６８９４号公報、特開平９−１１９２７３号公報等がある。
【０００４】
【発明が解決しようとする課題】
しかしながら、前記ロール式遮蔽装置においては、遮蔽体１２の繰り出し側端部を可動体１５に止着したり、あるいはメンテナンスのために遮蔽体１２の繰り出し側端部を可動体１５から取外したりするのに、その都度、可動体１５の棒軸２０を止めているネジ２１を取外したり、取付けたりしなければならず、取付性およびメンテナンス性に劣る問題があった。特に、ロール式遮蔽装置が天窓に取付けられている場合、前述した作業が非常に大変であった。
【０００５】
また、遮蔽体１２の開閉に伴って案内部１４から可動体１５を伝わって出てくるごみや潤滑油が遮蔽体１２にまで伝わり、遮蔽体１２を汚したり、あるいは遮蔽体１２から落下して室内を汚したりする恐れがあった。
【０００６】
本発明は、前記事情を考慮してなされたもので、可動体に対する遮蔽体の取付け取外しが容易にでき、取付性およびメンテナンス性の向上が図れるロール式遮蔽装置を提供することを目的とする。また、本発明は、遮蔽体の開閉に伴って案内部から可動体を伝わって出てくるごみや潤滑油による遮蔽体や室内の汚れを防止することができるロール式遮蔽装置を提供することを目的とする。
【０００７】
【課題を解決するための手段】
本発明のうち、請求項１のロール式遮蔽装置は、枠体と、この枠体の一端に設けられ遮蔽体を巻き取る巻取部と、この巻取部から繰り出した遮蔽体の端部を連結して前記枠体内の両端に設けた案内部に沿って移動自在に設けられた可動体と、この可動体を移動操作して遮蔽体を手動又は電動で開閉する開閉機構とを備え、前記可動体に被着体を着脱自在に設け、この被着体に前記遮蔽体の端部を止着するための止着溝を形成し、前記遮蔽体の端部に形成した袋綴じ部に芯材を挿通した状態で遮蔽体の端部が前記止着溝に差し込まれて止着されており、前記芯材は弾性を有する棒材からなると共にくの字状に折り曲げられていることを特徴とする。
【０００８】
請求項２のロール式遮蔽装置は、枠体と、この枠体の一端に設けられ遮蔽体を巻き取る巻取部と、この巻取部から繰り出した遮蔽体の端部を連結して前記枠体内の両端に設けた案内部に沿って移動自在に設けられた可動体と、この可動体を移動操作して遮蔽体を手動又は電動で開閉する開閉機構とを備え、前記可動体に被着体を着脱自在に設け、この被着体に前記遮蔽体の端部を止着するための止着溝を形成し、前記遮蔽体の端部に形成した袋綴じ部に芯材を挿通した状態で遮蔽体の端部が前記止着溝に差し込まれて止着され、前記被着体の端部を前記案内部に沿って設けられたごみ受部内に位置させてなり、前記芯材は弾性を有する棒材からなると共にくの字状に折り曲げられていることを特徴とする。
【０００９】
【発明の実施の形態】
以下に、本発明の実施の形態を添付図面に基いて詳述する。図１は本発明の実施の形態を示すロール式遮蔽装置の縦断面図、図２は同ロール式遮蔽装置の横断面図、図３は同ロール式遮蔽装置の要部を示す斜視図、図４は被着体を示す側面図、図５は芯材を示す図、図６は遮蔽体の開閉機構を概略的に示す図である。
【００１０】
図１ないし図２において、１は建物の屋根部の躯体で、この躯体１には室内と室外を連通する開口部（天井開口部）２が形成されている。この開口部２の室外側には天窓３が設けられている。この天窓３は、前記開口部２の室外側周縁部に設けられた天窓用枠体４と、この天窓用枠体４にヒンジ５を介して開閉可能に取付けられた障子６とから主に構成されている。また、天窓用枠体４には、障子６を開閉するための障子開閉機構７と、防虫用の網戸８とが取付けられている。なお、図１の屋根部の躯体１は、水平に図示されているが、例えば右側から左側に向って下降傾斜していてもよい。
【００１１】
そして、前記開口部２の室内側には、日除けないし目隠し用としてロール式遮蔽装置１０が取付けられている。このロール式遮蔽装置１０は、前記開口部２に設けられる枠体１１と、この枠体１１の一端に設けられ遮蔽体１２を巻き取る巻取部１３と、この巻取部１３から繰り出した遮蔽体１２の端部を連結して前記枠体１１内の両側に設けた案内部１４に沿って移動自在に設けられた可動体１５と、この可動体１５を移動操作して遮蔽体１２を電動で開閉する開閉機構１６とを備えている。
【００１２】
前記枠体１１は、例えばアルミニウム合金の押出形材からなる上枠１１ａ、下枠１１ｂおよび左右の縦枠１１ｃ，１１ｃにより方形ない四方枠状に組立てられている。前記巻取部１３は、枠体１１内の一端すなわち上枠１１ａ側に接近させた状態で設けられている。この巻取部１３は、例えば布からなる遮蔽体１２を巻き取る巻取軸１７と、前記両縦枠１１ｃ，１１ｃの対向部に取付けられ、巻取軸１７の両端部を支持する支持体１８とから主に構成されている。また、巻取軸１７の内部には、巻取軸１７を巻取方向に付勢する図示しないバネが取付けられている。
【００１３】
前記案内部１４は、図３ないし図６の図示例の場合、枠体１１の内側に別体で設けられているが、一体に形成されていてもよい。前記可動体１５は、両側の案内部１４，１４に沿って移動自在に設けられた移動体１９と、両移動体１９，１９間に掛け渡された棒軸２０とからなり、この棒軸２０の両端部が移動体１９，１９に対して着脱自在に取付けられている。棒軸２０としては、軽量化および強度の向上を図るために中空軸であることが好ましいが、中空軸でなくてもよい。
前記棒軸２０の長手方向両端部には、取付片部２０ａが突出して設けられ、この取付片部２０ａが前記移動体１９の取付腕部１９ａに対してネジ２１で着脱自在に接合されている。
【００１４】
前記遮蔽体１２の開閉機構１６は、前記案内部１４を形成する平面Ｕ字状の案内部形成体２２を有しており、この案内部形成体２２の両側部２２ｂ，２２ｂが縦枠１１ｃ，１１ｃの内側面に沿って設けられ、Ｕ字状に湾曲した部分である基部２２ａが上枠１１ａ側に配置されている。前記案内部１４は、前記移動体１９を案内する第１の案内部である移動体案内溝１４ａと、移動体１９の操作部材を案内する第２の案内部である操作部材案内溝１４ｂとからなっている。移動体案内溝１４ａは内向きに開口して形成され、この移動体案内溝１４ａの上部に操作部材案内溝１４ｂが下向きに開口して移動体案内溝１４ａと連通した状態に形成されている。なお、移動体案内溝１４ａと操作部材案内溝１４ｂとは、上下関係が逆になっていてもよい。
【００１５】
前記移動体１９の操作部材として、Ｕ字状の操作部材案内溝１４ｂに沿って弾性変形しながら移動可能な一対（２本）のラック部材２３ａ，２３ｂが用いられ、各ラック部材２３ａ，２３ｂの先端部に前記移動体１９，１９が取付けられている。移動体１９は、棒軸２０の端部をネジ２１で取付けるために内方に突出した取付腕部１９ａと、ラック部材２３ａ，２３ｂの先端部を取付けるために操作部材案内溝１４ｂ内に突出した取付片部１９ｂとを有し、この取付片部１９ｂにラック部材２３ａ，２３ｂの先端部が接合されている。
【００１６】
前記案内部形成体２２の基部２２ａ側には、両ラック部材２３ａ，２３ｂに噛合うピニオン２４を有する電動モータ２５と、この電動モータ２５を制御するコントローラ２６とが取付けられている。前記開閉機構１６は、遠隔操作でコントローラ２６を介して電動モータ２５を駆動制御することにより、ピニオン２４、ラック部材２３ａ，２３ｂを介して可動体１５を巻取部１３から離間する方向または接近する方向に平行移動させ、遮蔽体１２の開閉を行うように構成されている。
【００１７】
前記可動体１５に遮蔽体１２の端部（繰り出し側端部）を着脱が容易にできるよう間接的に連結するために、可動体１５には被着体２７が着脱自在に設けられ、この被着体２７に遮蔽体１２の端部が止着されている。具体的には、可動体１５の棒軸２０に被着体２７が着脱自在に取付けられ、この被着体２７に遮蔽体１２の端部が止着されている。
【００１８】
前記被着体２７は、図４にも示すように、棒軸２０の外径と略同じ内径を有する断面Ｃ字状で棒軸２０と略同じ長さに形成されており、棒軸２０に対してその径方向から着脱自在に嵌着され、棒軸２０の略全長に渡って嵌着保持されるようになっている。被着体２７は、棒軸２０に嵌合被着する断面略円形の被着溝２７ａを有し、この被着溝２７ａの入口開口幅ｇが棒軸２０の外径よりも少し小さく形成されている。この被着溝２７ａの入口開口縁部２７ｂ，２７ｃは、棒軸２０が径方向から嵌入し易いようにテーパ状ないし曲面状に形成されていることが好ましい。被着体２７は、合成樹脂製または金属製例えばアルミニウム合金製の形材からなり、自らの弾性力で棒軸に被着保持されるようになっている。
【００１９】
前記被着体２７は、遮蔽体１２の幅と略同じ長さに形成されている。被着体２７の一側部には、遮蔽体１２の端部を止着するための断面略円形の止着溝２７ｄを形成する断面Ｃ字状の止着部２７ｅが長手方向全長に渡って形成されている。
前記遮蔽体１２の端部は、その端部を折り返して溶着または縫着により筒状に袋綴じされており、その袋綴じ部１２ａに芯材（芯棒）２８を挿通した状態で前記止着溝２７ｄに差し込まれて止着されている。
【００２０】
この場合、止着溝２７ｄ内に遮蔽体１２の袋綴じ部１２ａの生地を介して芯材２８が全長に渡って挿通されている。芯材２８は、適度の弾性を有する合成樹脂製または金属製の棒材からなり、遮蔽体１２の横ズレを防止するために、図５に示すように、くの字状に折り曲げられていることが好ましい。また、前記被着体２７は、棒軸２０の下側に位置するように下方から被着されていることが好ましい。
【００２１】
前記案内部１４である移動体案内溝１４ａおよび操作部材案内溝１４ｂには、移動体１９や操作部材であるラック部材２３ａ，２３ｂの動きを円滑にするために潤滑油（例えばグリース）が注入されている。前記枠体１１の案内部１４よりも下方の内側には、案内部１４等から発生したごみや潤滑油等を下方に落下しないように受けるための好ましくは溝状のごみ受部２９が内方へ張出した状態で案内部１４に沿って好ましくは周方向に連続的に設けられている。このごみ受部２９は、枠体１１と遮蔽体１２との隙間を覆って目隠しするカバー材としての機能をも有している。そして、前記被着体２７の端部（長手方向両端部）は、前記ごみ受部２９内に位置され、遮蔽体１２の開閉に伴って案内部１４から可動体１５を伝わって出てくるごみや潤滑油を被着体２７の端部で阻止してごみ受部２９内に落下させるように構成されている。なお、被着部２７は、その内周部と棒軸２０との隙間に前記潤滑油を導いて溜めるようになっていていもよい。
【００２２】
以上の構成からなるロール式遮蔽装置１０においては、巻取部１３から繰り出した遮蔽体１２の端部を可動体１５の棒軸２０に連結する（取付ける）場合、予め遮蔽体１２の端部に被着体２７を取付けておくことにより、その被着体２７を棒軸２０に径方向から嵌合被着（嵌着）するだけで棒軸２０に対する遮蔽体１２の取付作業を迅速且つ容易に行うことができ、取付性ないし組立性の向上が図れる。
【００２３】
また、遮蔽体１２の交換等のメンテナンスを行うために前記可動体１５の棒軸２０から遮蔽体１２を取外す場合には、棒軸２０から被着体２７を径方向に離脱するだけで棒軸２０からの遮蔽体１２の取外作業を迅速且つ容易に行うことができ、この作業は高所でも容易にでき、メンテナンス性の向上が図れる。更に、前記遮蔽体１２の端部は、可動体１５の棒軸２０に被着体２７を介して間接的に取付けられているため、棒軸２０に遮蔽体１２の端部が直接接触している場合と異なり、たとえ案内部１４から潤滑油が可動体１５の移動体１９を伝わって棒軸２０まで来たとしても、遮蔽体１２が潤滑油で汚れるようなことはない。
【００２４】
また、前記被着体２７の端部が前記案内部１４に沿って設けられたごみ受部２９内に位置されているため、遮蔽体１２の開閉に伴って案内部１４の各案内溝１４ａ，１４ｂから可動体１５の移動体１９を伝わって出てくるごみや潤滑油を被着体２７の端部で阻止してその端部から自重でごみ受部２９内に落とすことができる。このため、ごみや潤滑油が遮蔽体１２に付着したり、室内に落下したりするのを防止することができ、遮蔽体１２や室内の汚れを防止することができる。
更に、前記遮蔽体１２の端部の袋綴じ部１２ａに挿通して遮蔽体１２の端部を被着体２７の止着溝２７ｄに嵌合止着するための芯材２８がくの字状に折り曲げられているので、芯材２８を止着溝２７ｄに嵌合したとき（このとき、芯材２８は止着溝２７ｄに沿って略直線状に弾性変形されるが、元の形に戻ろうとする復元力が発生する。）の弾性復元力により遮蔽体１２に対する摩擦抵抗が増大し、遮蔽体１２の横ズレを簡単な構造で防止することができる。
【００２５】
以上、本発明の実施の形態を図面により詳述してきたが、本発明は前記実施の形態に限定されるものではなく、本発明の要旨を逸脱しない範囲での種々の設計変更等が可能である。例えば、本発明のロール式遮蔽装置は、天窓用ないし天井開口部遮蔽用に限定されず、通常の窓ないし開口部等にも適用可能である。また、遮蔽体としては、防虫網等であってもよい。前記実施の形態では、開閉機構が遮蔽体を電動で開閉するように構成されているが、手動で開閉するように構成されていてもよい。可動体の操作部材としては、例えばワイヤであってもよい。
【００２６】
【発明の効果】
以上要するに本発明によれば、次のような効果を奏することができる。
【００２７】
（１）請求項１のロール式遮蔽装置によれば、枠体と、この枠体の一端に設けられ遮蔽体を巻き取る巻取部と、この巻取部から繰り出した遮蔽体の端部を連結して前記枠体内の両端に設けた案内部に沿って移動自在に設けられた可動体と、この可動体を移動操作して遮蔽体を手動又は電動で開閉する開閉機構とを備え、前記可動体に被着体を着脱自在に設け、この被着体に前記遮蔽体の端部を止着するための止着溝を形成し、前記遮蔽体の端部に形成した袋綴じ部に芯材を挿通した状態で遮蔽体の端部が前記止着溝に差し込まれて止着されており、前記芯材は弾性を有する棒材からなると共にくの字状に折り曲げられているため、可動体や被着体に対する遮蔽体の取付け取外しが容易にできると共に遮蔽体の横ズレを防止でき、取付性およびメンテナンス性の向上が図れる。
【００２８】
（２）請求項２のロール式遮蔽装置によれば、枠体と、この枠体の一端に設けられ遮蔽体を巻き取る巻取部と、この巻取部から繰り出した遮蔽体の端部を連結して前記枠体内の両端に設けた案内部に沿って移動自在に設けられた可動体と、この可動体を移動操作して遮蔽体を手動又は電動で開閉する開閉機構とを備え、前記可動体に被着体を着脱自在に設け、この被着体に前記遮蔽体の端部を止着するための止着溝を形成し、前記遮蔽体の端部に形成した袋綴じ部に芯材を挿通した状態で遮蔽体の端部が前記止着溝に差し込まれて止着され、前記被着体の端部を前記案内部に沿って設けられたごみ受部内に位置させてなり、前記芯材は弾性を有する棒材からなると共にくの字状に折り曲げられているため、可動体や被着体に対する遮蔽体の取付け取外しが容易にできると共に遮蔽体の横ズレを防止でき、取付性およびメンテナンス性の向上が図れると共に、遮蔽体の開閉に伴って案内部から可動体を伝わって出てくるごみ等を被着体の端部からごみ受部内に落とすことができ、遮蔽体や室内の汚れを防止することができる。
【図面の簡単な説明】
【図１】本発明の実施の形態を示すロール式遮蔽装置の縦断面図である。
【図２】同ロール式遮蔽装置の横断面図である。
【図３】同ロール式遮蔽装置の要部を示す斜視図である。
【図４】被着体を示す側面図である。
【図５】芯材を示す図である。
【図６】遮蔽体の開閉機構を概略的に示す図である。
【図７】従来装置の要部を示す斜視図である。
【符号の説明】
１０  ロール式遮蔽装置
１１  枠体
１２  遮蔽体
１３  巻取部
１４  案内部
１５  可動体
１６  開閉機構
２７  被着体
２９  ごみ受部
【図１】
0004542229.tif 000002
【図２】
0004542229.tif 000003
【図３】
0004542229.tif 000004
【図４】
0004542229.tif 000005
【図５】
0004542229.tif 000006
【図６】
0004542229.tif 000007
【図７】
0004542229.tif 000008